(57)【要約】【課題】ランプ装着の安全性および信頼性を向上することができる片口金用ランプソケットおよび照明器具を提供する。【解決手段】連結用のランプ保持部２と回転位置決め部３とを有する片口金ランプ４を、相合わせかつ一方向に回転させて装着するバヨネット結合方式である。片口金ランプ４を相合わせかつ一方向に回転したときにランプ保持部２を合わせ方向と反対方向に対して抜止め係止する保持部受け部１６を有する。また片口金ランプ４を相合わせかつ一方向に回転したときに回転位置決め部３を回転方向と反対方向に対して係脱自在に位置決め係止する位置決め受け部１７を有する。さらに片口金ランプ４の回転方向と反対方向の回転を妨げる力を片口金ランプ４に作用するランプ支持ばね３１を有する。【選択図】        図１
2005310392.tif 000002
【特許請求の範囲】
【請求項１】
連結用のランプ保持部と回転位置決め部とを有する片口金ランプを、相合わせかつ一方向に回転させて装着するバヨネット結合方式の片口金ランプ用ソケットであって、前記片口金ランプを相合わせかつ前記一方向に回転したときに前記ランプ保持部を合わせ方向と反対方向に抜止め係止する保持部受け部と、前記片口金ランプを相合わせかつ前記一方向に回転したときに前記回転位置決め部を回転方向と反対方向に係脱自在に位置決め係止する位置決め受け部と、前記回転位置決め部が前記位置決め受け部に位置決めされた状態で前記片口金ランプの前記回転方向と反対方向の回転を妨げる力を前記片口金ランプに作用するランプ支持ばねとを備えた片口金ランプ用ソケット。
【請求項２】
差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ回転する際に前記溝を摺動する突起を他方に形成した、相互に嵌合する構成の片口金ランプおよび片口金ランプ用ソケットの組み合わせに適用される片口金ランプ用ソケットであって、前記ランプ支持ばねは前記ランプ保持部に当接して前記ランプ保持部に前記片口金ランプの前記回転方向と反対方向の回転を妨げる力を作用する請求項１記載の片口金ランプ用ソケット。
【請求項３】
請求項１または請求項２記載の片口金ランプ用ソケットを有する照明器具。
【発明の詳細な説明】
【技術分野】
【０００１】
本発明は、例えばランプ回転取付方式すなわちバヨネット結合方式の高ワットで大型サイズの片口金蛍光灯ソケットなどの片口金ランプ用ソケットおよび照明器具に関するものである。
【背景技術】
【０００２】
近年、HIDランプの代替光源として片口金蛍光ランプの高ワットおよび大形サイズ化が進んでおり、そのためランプ保持の確実性を向上させる必要が出てきている。
【０００３】
従来のHIDランプはねじ込み型が多く、そのためランプソケットへの装着時のねじ込み回転数が多いので、多少ランプの締付けがあまくてもランプの落下にいたる可能性は非常に少なかった。
【０００４】
一方、従来例の片口金蛍光灯ソケットには、片口金ランプをランプソケットに差し込み一方向に回転して装着するバヨネット式のものがあった。例えば図５および図６に示すように、ランプソケット１００の中心に中央凹所１０１を設け、片口金ランプ１０２に中央凹所１０１に嵌合する柱状突起１０３を設け、ランプソケット１００の周縁に複数の保持部受け部用の突起１０４を設け、片口金ランプ１０２に突起１０４を嵌める複数のランプ保持用溝部１０５を形成したランプ保持部１０６を設ける。これにより片口金ランプ１０２をランプソケット１００に差し込み回転させて保持する。さらに、ランプソケット１００にはランプ回転の位置決め部受け部用の係止凹部１０７が形成されており、一方片口金ランプ１０２には回転位置決め部用の凸部１０８が形成されている。凸部１０８は口金面に形成された弾性変形ばね１０９に形成され、弾性変形ばね１０９は通常樹脂製の口金に一体的に形成されている。この場合、ランプ回転方向と反対方向の回転による外れ防止は、片口金ランプ１００に形成された弾性変形ばね１０９に設けられた凸部１０８と、ランプソケット１０２の係止凹部１０７との係合に１００％依存している。なお、１１０はランプ端子、１１１はランプ端子１１０に接触するランプピン、１１２はワット識別用突起、１１３はワット識別用溝である。
【０００５】
また片口金ランプの柱状突起を嵌合する凹部内に片口金ランプの柱状突起とともに回転する固定ばねを設け、固定ばねにクリックを発生させる凸部を設け、凹部内に凸部が嵌まる凹所を形成して回転方向の位置決めを行うランプソケットもあった（特許文献１参照）。
【特許文献１】特開平９−３５８３７号
【発明の開示】
【発明が解決しようとする課題】
【０００６】
従来のランプソケットおよびランプでは、ランプ着脱時のクリック感触を向上させるために弾性変形ばね１０９の強度を強くすると破損しやすくなり、長期高温使用による弾性変形ばね１０９を形成する樹脂の劣化や、異常操作により凸部１０８等が万一破損した場合には、ランプ端子１１０の保持力のみとなるため、種々の振動状態（微振動含む）では、徐々にずれて片口金ランプ１００が落下する恐れがあった。特許文献１も同様であった。
【０００７】
したがって、本発明の目的は、ランプ装着の安全性および信頼性を向上することができる片口金用ランプソケットおよび照明器具を提供することである。
【課題を解決するための手段】
【０００８】
本発明の片口金ランプ用ソケットは、連結用のランプ保持部と回転位置決め部とを有する片口金ランプを、相合わせかつ一方向に回転させて装着するバヨネット結合方式である。前記片口金ランプを相合わせかつ前記一方向に回転したときに前記ランプ保持部を合わせ方向と反対方向に抜止め係止する保持部受け部を有する。前記片口金ランプを相合わせかつ前記一方向に回転したときに前記回転位置決め部を回転方向と反対方向に係脱自在に位置決め係止する位置決め受け部を有する。さらに前記回転位置決め部が前記位置決め受け部に位置決めされた状態で前記片口金ランプの前記回転方向と反対方向の回転を妨げる力を前記片口金ランプに作用するランプ支持ばねを有する。  
【０００９】
上記構成において、片口金ランプ用ソケットは差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ回転する際に前記溝を摺動する突起を他方に形成した、相互に嵌合する構成の片口金ランプおよび片口金ランプ用ソケットの組み合わせに適用される。前記ランプ支持ばねは前記ランプ保持部に当接して前記ランプ保持部に前記片口金ランプの前記回転方向と反対方向の回転を妨げる力を作用する。
【００１０】
本発明の照明器具は、上記構成の片口金ランプ用ソケットを有する。
【発明の効果】
【００１１】
本発明の片口金ランプ用ソケットによれば、ランプ回転方向と反対方向の回転による片口金ランプの外れ防止として、片口金ランプに形成された回転位置決め部と片口金ランプ用ソケットの位置決め受け部との係止以外に、ランプ支持ばねを設けて、片口金ランプが装着完了した時に、位置決め部が位置決め受け部に位置決めされた状態で、片口金ランプの外れ方向への回転を妨げる力を作用させたため、ランプ装着の安全性と信頼性を向上させることができる。
【００１２】
また回転位置決め部または位置決め受け部が使用時に万一破損した場合でも、ランプ支持ばねでランプを保持できるので安全である。
【００１３】
片口金ランプが装着完了した位置でランプ支持ばねがランプ保持部に当接して外れ防止するため、ランプピンとランプ端子の間の振動や動きが防止でき、振動が加わる場所での使用においても、ランプピンとランプ端子の接触がずれないので接触信頼性が向上する。
【発明を実施するための最良の形態】
【００１４】
本発明の一実施の形態を図１から図４により説明する。すなわち、照明器具において片口金ランプ用ソケット１は、連結用のランプ保持部２と回転位置決め部３とを有する片口金ランプ４を、差し込みかつ一方向に回転させて装着するバヨネット結合方式の構造を有する。
【００１５】
まず、片口金ランプ４について説明する。樹脂製の柱状のランプ口金５の上面に８本のランプバルブ６を立設し、下面の中央に柱状突起７を突設している。柱状突起７の周面に片口金ランプ４の差し込み回転をガイドする差し込み用溝８ａと回転用溝８ｂからなる略Ｌ字状の溝８を形成している。この溝８はワット識別兼用である。柱状突起７を中心とする一直径線上の柱状突起７の両側に複数すなわち２本ずつ合計４本のランプピン９が立設されている。ランプ保持部２はランプ口金５の下面の周縁の４箇所すなわちランプピン９の並び方向およびそれに直交する方向の周縁に突設され、ランプ保持部２に片口金ランプ４の装着時の回転方向および中心方向に開口するランプ保持用溝部２ａが形成されている。回転位置決め部３はランプ口金５の下面でランプピン９の並び方向と直交する方向のランプ保持部２と柱状突起７との間に形成され、係止用凸部３ａと、係止用凸部３ａの両側にスリット３ｂを形成することによりスリット３ｂ間に形成された樹脂による弾性変形ばね３ｃとからなる。弾性変形ばね３ｃにより、係止用凸部３ａに突出方向の弾性を付与している。
【００１６】
片口金ランプ用ソケット１について説明する。すなわち、片口金ランプ用ソケット１は、下面開口のボディ１１と下面開口を塞ぐカバー１２からなる。ボディ１１はランプ口金５のランプ保持部２の内側に入る直径を有する有天筒形であり、ボディ１１の中央に柱状突起７を回転可能に差し込ませる凹部１３を有し、凹部１３の両側に各ランプピン９が挿入される円弧状のランプピン挿入孔１４を有する。凹部１３の内周面には溝８に案内されるワット識別兼用の突起１５が突設されている。したがって、ワット識別が合う場合、片口金ランプ４の柱状突起７を凹部１３に差し込む際に溝８の差し込み用溝８ａに突起１５が案内され、さらに片口金ランプ４を一方向に回転するとき回転用溝８ｂに突起１５が案内される。
【００１７】
ランプ保持部２に対応してランプ保持用溝部２ａに入る保持部受け部１６をボディ１１の周面より外方に舌状に突設している。これにより、片口金ランプ４を差し込みかつ一方向に回転したときに、保持部受け部１６がランプ保持用溝部２ａに嵌合してランプ保持部２を差し込み方向と反対方向に抜止め係止する。また回転位置決め部３に対応して位置決め部受け部１７を設けている。位置決め部受け部１７は凹部１３を中心とする周方向の長溝１７ａとそのほぼ中央に設けた突起１７ｂからなる。これにより、片口金ランプ４を差し込みかつ一方向に回転したときに回転位置決め部３の係止用凸部３ａが長溝１７ａ内で弾性変形ばね３ｃにより突起１７ｂを乗り越えて回転方向と反対方向に係脱自在に位置決め係止する。なお片口金ランプ４の回転装着完了位置での回転方向に対する規制は、保持部受け部１６のランプ回転方向の後端部にランプ保持部２のランプ保持用溝部２ａの後端部が係止するか、または保持部受け部１６の支持部１６ａにランプ保持部２の回転方向の先端が係止することより行われる。カバー１２にはボディ１１内に嵌まるランプ端子２８がカバー１２の取付部２９に取付けられ、ランプ端子２８に速結端子２５が設けられ、カバー１２に設けた電線挿入孔３３より挿入された電線を速結端子２５に接続するようにしている。カバー１２でボディ１１の下面開口を閉じた状態でランプ端子２８がランプピン挿入孔１４の内側に配置され、ランプピン挿入孔１４に挿入されたランプピン９はランプ端子２８に挟持されて接触することができる。
【００１８】
ランプ支持ばね３１は、ボディ１１の外周面のランプ端子２８の並び方向と直交する方向の一対の保持部受け部１６のランプ回転方向の後端側の近傍に配設される。ランプ支持ばね３１は例えば板ばねを略Ｌ字形に折曲し、その一片１９の中間部に段部３２を設けており、回転位置決め部３が位置決め受け部１７に位置決めされた状態すなわちランプ装着完了位置で、段部３２によりランプ保持部２の後端角部をランプ回転方向および差し込み方向の各反対方向を含む斜め方向に押し付けている。これにより、片口金ランプ２の回転方向と反対方向の回転を妨げる力を片口金ランプ２に作用するとともにランプ保持部２と保持部受け部１６間のがたつきを防止する。ランプ支持ばね３１の他片２０は連結片１８と一体で側部において連結片１８に直角に折曲されて連接しており、一片１９は連結片１８の上端部に沿って延出している。連結片１８はその上下に、それぞれ相対向側すなわち連結片１８の中心側に向けて切起こした固定用切起し片２１、２２を形成している。ボディ１１の周面は他片２０を支持し一片１９がボディ１１の周面から外方に離れるのを防止する突片３４を形成するとともに、連結片１８を収納する凹部３５を形成し、さらに連結片１８の両肩部を差し込ませる溝３６および固定用切起し片２１を係止する固定部２３を凹部３５に凹設している。またカバー１２に連結片１８の下端部を差し込ませるスリット２４を形成し、スリット２４内に固定用切起し片２２に引っ掛かる固定部を形成している。これにより、ボディ１１とカバー１２を連結片１８により連結するとともに連結片１８を片口金ランプ用ソケット１に取付けている。
【００１９】
ランプ支持ばね３１の一片１９の段部３２よりも他片２０側は、片口金ランプ４を差し込んだとき片口金ランプ４を回転方向に案内するための傾斜部３０を形成している。
【００２０】
なお、４０はソケット取付用孔、４１はランプ支持ばね３１の先端に対向してボディ１１の保持部受け部１６の下側に設けられランプ支持ばね３１の塑性変形を防止するばねストッパである。
【００２１】
片口金ランプ４の装着について説明する。図３は片口金ランプ４を片口金ランプ用ソケット１に差し込んだ状態である。このとき、ワット識別が合っていると、ワット識別兼用突起１５が溝８に摺動可能となり、柱状突起７が凹部１３に嵌合する。またランプピン９がランプピン挿入孔１４に挿入される。差し込み終端付近でランプ保持部２が傾斜部３０に当接し傾斜部３０が弾性変形して、ランプ保持部２が回転力を受けるとともに片口金ランプ４の回転のためのスペースが得られる。このとき、片口金ランプ４は、突起１５が差し込み用溝８ａに規制されるため回転しない。      
【００２２】
図４は差し込み状態から片口金ランプ４を回転してランプ保持部２を保持部受け部１６に完全に係止した状態である。このとき、ランプピン９がランプ端子２８に挟持されて電気接触状態となり、回転位置決め部３の係止用凸部３ａが弾性変形ばね３ｃの弾性により位置決め受け部１７の突起１７ｂを乗り越えて係合し、ほぼその位置が片口金ランプ４の回転完了位置となりランプ保持部２が保持部受け部１６に係止して回転規制される。これらと同時にランプ保持部２は段部３２を越えてランプ支持ばね３１の段部３２の付近でランプ保持部２の後端角部が押圧される。このように、ランプ保持部２をランプ支持ばね３１で斜めに押圧することにより回転方向と反対方向の回転を妨げるとともにランプ保持部２を保持部受け部１６に押付け、これによりがたつきのない安定した取付けを可能にしている。その結果、片口金ランプ４が装着完了した位置で、ランプ支持ばね３１でランプ保持部２を押し付けた状態にすることにより、ランプピン９とランプ端子２８の間の振動や動きが防止でき、振動が加わる場所での使用においても、接触信頼性が向上する。
【００２３】
片口金ランプ４の装着を取り外すときは、上記の逆の工程を行う。すなわち片口金ランプ４を逆に回転すると、ランプ保持部２がランプ支持ばね３１の段部３２を押してランプ支持ばね３１を弾性変形させながら段部３２を乗り越えて傾斜部３０に移動し、ランプピン９がランプ端子２８から外れ、ランプ回転位置決め部３が位置決め部受け部１７を乗り越えてクリック感触が発生する。外し方向の回転の勢いにより傾斜部３０を押してランプ保持部２が保持部受け部１６から外れるとともに、突起１５が回転用溝８ｂから差し込み用溝８ａに位置して片口金ランプ４を片口金ランプ用ソケット１から外すことができる。
【００２４】
本実施の形態によれば、片口金ランプ４の回転方向と反対方向の回転による外れ防止のため、ランプ口金５に形成された弾性変形ばね３ｃに設けられた係止用凸部３ａと片口金ランプ用ソケット１の長溝１７ａの突起１７ｂとの係止以外に、ランプ支持ばね３１を設けており、ランプ支持ばね３１により片口金ランプ４の外れ方向への回転を妨げる力を作用させているため、ランプ装着の安全性を向上させることができる。またランプ口金５の弾性変形ばね３ｃと一体に形成された係止用凸部３ａが使用時に万一破損した場合でもランプ支持ばね３１で片口金ランプ４を保持できるので安全である。
【００２５】
しかも片口金ランプ４が装着完了した位置でランプ支持ばね３１がランプ保持部２に当接して外れ防止するため、ランプピン９とランプ端子２８の間の振動や動きが防止でき、振動が加わる場所での使用においても、ランプピン９とランプ端子２８の接触がずれないので接触信頼性が向上する。
【００２６】
ランプ支持ばね３１を直線状に配置されたランプピン９に接触するランプ端子２８の並び方向と略直交する位置に設けた構成により、片口金ランプ４のランプ支持ばね３１の対向する方向のがたつきは、片口金ランプ用ソケット１の保持部受け部１６がランプ保持用溝部２ａに嵌まり、ランプ保持部２をランプ支持ばね３１で押さえていることにより規制される。すなわち、その一方向はランプ保持部２をランプ支持ばね３１で押さえており、他方向は保持部受け部１６がランプ保持部２のストッパの役目をしている。また上記と直角な方向のがたつきは、複数のランプピン９をランプ端子２８が挟持していることにより生じにくい。
【００２７】
なお、本発明において、溝８を片口金ランプ４側に設け、突起１５を片口金ランプ用ソケット１側に設けたが反対でもよい。またランプ保持用溝部２ａを片口金ランプ４側に設けランプ保持用溝部２ａに片口金ランプ用ソケット１側の保持部受け部１６が嵌まるようにしたが、ランプ保持用溝部２ａを片口金ランプ用ソケット１側に設け片口金ランプ４側のランプ保持部２がランプ保持用溝部２ａに嵌まるように構成することは可能である。回転位置決め部３の係止用凸部３ａおよび弾性変形ばね３ｃを片口金ランプ４側に設け突起１７ｂを片口金ランプ用ソケット１側に設けたが反対でもよい。さらに連結片１８によるボディ１１とカバー１２の連結手段は上記実施の形態の構成に限らない。
【図面の簡単な説明】
【００２８】
【図１】本発明の一実施の形態の斜視図である。
【図２】片口金ランプ用ソケットの分解斜視図である。
【図３】（ａ）は片口金ランプを装着前の斜視図、（ｂ）片口金ランプを差し込んだ状態の斜視図である。
【図４】片口金ランプを回転して装着完了した状態の斜視図である。
【図５】（ａ）は従来例の片口金ランプ用ソケットの平面図、（ｂ）はその正面図である。
【図６】（ａ）はその片口金ランプの口金の底面図、（ｂ）はその部分側面図である。
【符号の説明】
【００２９】
１    片口金ランプ用ソケット
２    ランプ保持部
３    回転位置決め部
４    片口金ランプ
７    柱状突起
８    溝
８ａ    差し込み用溝
８ｂ    回転用溝
９    ランプピン
１１    ボディ
１２    カバー
１３    凹部
１４    ランプピン挿入孔
１５    突起
１６    保持部受け部
１７    位置決め部受け部
１８    連結片
２８    ランプ端子
３０    傾斜部
３１    ランプ支持ばね
３２    段部
【図１】
2005310392.tif 000003
【図２】
2005310392.tif 000004
【図３】
2005310392.tif 000005
【図４】
2005310392.tif 000006
【図５】
2005310392.tif 000007
【図６】
2005310392.tif 000008